(57)【要約】【課題】ＩＣカードをかざす場所をエンドユーザーが認識しやすい表示装置を提供すること。【解決手段】表示装置において、表示部２１には特定方向側に画面が設けられている。取付部２３は、表示部２１に対して前記特定方向の逆方向側に設けられる。取付部２３には、ＩＣカードを検知するための複数種類のカードリーダー２４を取り付け可能である。取得処理部１２Ａは、前記特定方向において、前記画面と前記複数種類のカードリーダー２４のそれぞれが有する検知エリアとが重なり合う画面上のオーバーラップ領域を示す複数の領域データが予め記憶される不揮発性メモリーから、取付部２３に取り付けられている１つの実装カードリーダーに対応する特定の領域データを取得する。表示制御部１２Ｂは、取得処理部１２Ａにより取得された前記特定の領域データが示す前記オーバーラップ領域に、前記実装カードリーダーの前記検知エリアを示す画像を表示させる。【選択図】図６
2019136890.tif 000002
【特許請求の範囲】
【請求項１】
特定方向側に画面が設けられている表示部と、
前記表示部に対して前記特定方向の逆方向側に設けられ、ＩＣカードを検知するための複数種類のカードリーダーを取り付け可能な取付部と、
前記特定方向において、前記画面と前記複数種類のカードリーダーそれぞれが有する検知エリアとが重なり合う前記画面上のオーバーラップ領域を示す複数の領域データが予め記憶される記憶部から、前記取付部に取り付けられている１つの実装カードリーダーに対応する特定の領域データを取得する取得処理部と、
前記取得処理部により取得された前記特定の領域データが示す前記オーバーラップ領域に、前記実装カードリーダーの前記検知エリアを示す画像を表示させる表示制御部と、
を備える表示装置。
【請求項２】
前記記憶部において、前記複数の領域データのうちの１つには、前記実装カードリーダーが前記取付部に取り付けられていることを特定する第１識別情報が対応付けられ、
前記取得処理部は、前記第１識別情報に対応付けられている前記領域データを前記特定の領域データとして、前記記憶部から取得する、
請求項１に記載の表示装置。
【請求項３】
前記記憶部において、前記複数の領域データには、対応する前記オーバーラップ領域が前記画面上で互いに重なり合うことを特定する第２識別情報が対応付けられ、
前記取得処理部は、前記第２識別情報に対応付けられている前記複数の領域データを、前記記憶部から取得し、
前記表示制御部は、前記取得処理部によって取得された前記複数の領域データが示す前記オーバーラップ領域に、前記複数種類のカードリーダーの前記検知エリアを示す画像を表示させる、
請求項１に記載の表示装置。
【請求項４】
前記画面に設けられたタッチパネルと、
前記画像が表示されてから、前記ＩＣカードの検知が完了するまでの間、前記タッチパネルの機能を停止する機能停止部と、
をさらに備える請求項１〜３のいずれかに記載の表示装置。
【請求項５】
前記機能停止部は、前記ＩＣカードの検知が完了するまでの間、前記タッチパネルへの電力供給を停止させ、
前記ＩＣカードの検知が完了した場合に、前記タッチパネルへの電力供給を開始して前記タッチパネルを機能させる給電制御部、
をさらに備える請求項４のいずれかに記載の表示装置。
【請求項６】
前記機能停止部は、前記ＩＣカードの検知が完了するまでの間、前記タッチパネルから送られてくる操作信号を無視し、
前記ＩＣカードの検知が完了した場合に、前記タッチパネルから送られてくる操作信号の受け付けを開始して、前記タッチパネルを機能させる操作受付部、
をさらに備える請求項４のいずれかに記載の表示装置。
【請求項７】
特定方向側に画面が設けられている表示部と、
前記表示部に対して前記特定方向と逆方向側に設けられ、ＩＣカードを検知するための複数種類のカードリーダーを取り付け可能な取付部と、
前記特定方向において、前記画面と前記複数種類のカードリーダーのそれぞれが有する検知エリアとが重なり合う前記画面上のオーバーラップ領域を示す複数の領域データが予め記憶される記憶部から、前記取付部に取り付けられている１つの実装カードリーダーに対応する特定の領域データを取得する取得処理部と、
前記取得処理部によって取得された前記特定の領域データが示す前記オーバーラップ領域に、前記実装カードリーダーの前記検知エリアを示す第１画像を前記表示部に表示させる表示制御部と、
前記第１画像が表示された後、前記第１画像に当接した前記ＩＣカードの認証を行う認証処理部と、
前記認証処理部により前記ＩＣカードの認証が行われた後に、画像データに基づく第２画像を像担持体に形成する画像形成部と、
を備える画像形成装置。
【発明の詳細な説明】
【技術分野】
【０００１】
本発明は、非接触方式のカードリーダーを備える表示装置、及び画像形成装置に関する。
【背景技術】
【０００２】
画像形成装置の中には、非接触方式のカードリーダーを備えたものがある。前記カードリーダーは、前記画像形成装置の上部に設けられる操作入力部の側方等に設けられる。ユーザーは、前記画像形成装置を使用する前に、自身を識別可能なユーザー識別データ等が記録されているＩＣカードを前記カードリーダーが有する検知エリアにかざす。前記カードリーダーは、前記ＩＣカードから前記ユーザー識別データを読み出す。前記ユーザー識別データは、前記画像形成装置においてユーザーの認証処理に使用される（例えば特許文献１を参照）。
【０００３】
前記カードリーダーは、前記画像形成装置のエンドユーザー側の要望に応じてオプション装備として前記画像形成装置の販売側により取り付けられることがある。具体的に、前記販売側は、前記エンドユーザー側に前記画像形成装置に取り付け可能な複数種類のカードリーダーを提示する。前記販売側ではは、前記エンドユーザー側により選択された前記カードリーダーが前記画像形成装置に取り付けられる。その後、前記画像形成装置は、前記エンドユーザーに納品される。
【先行技術文献】
【特許文献】
【０００４】
【特許文献１】特開平８−１０６２４０号公報
【発明の概要】
【発明が解決しようとする課題】
【０００５】
しかし、前記複数種類のカードリーダーにおいて前記検知エリアの位置が異なる場合がある。そのため、前記複数種類のカードリーダーのいずれかが前記画像形成装置の内部に設けられる場合、前記画像形成装置において前記ＩＣカードをかざす場所を前記エンドユーザーは認識しづらくなる。
【０００６】
本発明の目的は、前記ＩＣカードをかざす場所をエンドユーザーが認識しやすい表示装置及び画像形成装置を提供することにある。
【課題を解決するための手段】
【０００７】
本発明の一の局面に係る表示装置は、表示部と、取付部と、取得処理部と、表示制御部と、を備える。前記表示部には特定方向側に画面が設けられている。前記取付部は、前記表示部に対して前記特定方向の逆方向側に設けられる。前記取付部には、ＩＣカードを検知するための複数種類のカードリーダーを取り付け可能である。前記取得処理部は、前記特定方向において、前記画面と前記複数種類のカードリーダーそれぞれが有する検知エリアとが重なり合う前記画面上のオーバーラップ領域を示す複数の領域データが予め記憶される記憶部から、前記取付部に取り付けられている１つの実装カードリーダーに対応する特定の領域データを取得する。前記表示制御部は、前記取得処理部により取得された前記特定の領域データが示す前記オーバーラップ領域に、前記実装カードリーダーの前記検知エリアを示す画像を表示させる。
【０００８】
本発明の他の局面に係る画像形成装置は、表示部と、取付部と、取得処理部と、表示制御部と、認証処理部と、画像形成部と、を備える。前記表示部には特定方向側に画面が設けられている。前記取付部は、前記表示部に対して前記特定方向と逆方向側に設けられる。前記取付部には、ＩＣカードを検知するための複数種類のカードリーダーを取り付け可能である。前記取得処理部は、前記特定方向において、前記画面と前記複数種類のカードリーダーのそれぞれが有する検知エリアとが重なり合う前記画面上のオーバーラップ領域を示す複数の領域データが予め記憶される記憶部から、前記取付部に取り付けられている１つの実装カードリーダーに対応する特定の領域データを取得する。前記表示制御部は、前記取得処理部によって取得された前記特定の領域データが示す前記オーバーラップ領域に、前記実装カードリーダーの前記検知エリアを示す第１画像を前記表示部に表示させる。前記認証処理部は、前記第１画像が表示された後、前記第１画像に当接した前記ＩＣカードの認証を行う。前記画像形成部は、前記認証処理部により前記ＩＣカードの認証が行われた後に、画像データに基づく第２画像を像担持体に形成する。
【発明の効果】
【０００９】
本発明によれば、前記ＩＣカードをかざす場所をエンドユーザーが認識しやすい表示装置及び画像形成装置を提供することができる。
【図面の簡単な説明】
【００１０】
【図１】図１は、本発明の一実施形態に係る画像形成装置の構成を示す斜視図である。
【図２】図２は、図１に示される切断線II−IIに沿う画像読取部の縦断面を前方向から見た時の模式図である。
【図３】図３は、図１に示される切断線III −III に沿う画像形成部の縦断面を右方向から見た時の模式図である。
【図４】図４は、図１に示される切断線Ｖ−Ｖに沿う操作表示部の縦断面を前方向から見た時の模式図である。
【図５】図５は、図１に示される操作表示部の要部の構成を示す分解図である。
【図６】図６は、図１に示される画像形成装置の要部を示すブロック図である。
【図７】図７は、図１に示される画像形成装置の処理の手順を示すフローチャートである。
【図８】図８は、図３に示される領域データが示す画像の第１例を示す図である。
【図９】図９は、図３に示される領域データが示す画像の第２例を示す図である。
【発明を実施するための形態】
【００１１】
以下、添付図面を参照しながら、本発明の各実施形態について説明し、本発明の理解に供する。なお、以下の実施形態は、本発明を具体化した一例であって、本発明の技術的範囲を限定するものではない。
【００１２】
［実施形態］
図１において、画像形成装置１００は、複写機、プリンタ、ファクシミリ又は複合機等である。前記複合機は、コピー機能、印刷機能及びファクス機能等を有する。画像形成装置１００は、画像読取部２００と、画像形成部３００と、を備える。
【００１３】
画像読取部２００は、図２に示される通り、コンタクト部１、原稿カバー２及びイメージセンサー３等を備える。コンタクト部１には、画像読取の対象となる原稿（図示せず）が載置される。原稿カバー２は、画像形成装置１００の筐体１０の上面に開閉可能に設けられ、コンタクト部１上の前記原稿を上方から押さえる。イメージセンサー３は、制御部１２（図３を参照）の制御下で、筐体１０の内部でコンタクト部１の下方を、画像形成装置１００の右方向に移動しながら前記原稿を光学的に読み取る。イメージセンサー３は、前記原稿を表す原稿画像データを生成して制御部１２に送信する。前記原稿画像データは、本発明における画像データの一例である。
【００１４】
画像形成部３００は、図３に示される通り、筐体１０の内部に設けられ、像担持体４、帯電部５、露光部６、現像部７、転写部８及び定着部９を備える。画像形成部３００は、制御部１２の制御下で、電子写真方式により前記原稿画像データに基づくトナー像を形成する。画像形成部３００はさらに、前記トナー像をシート（例えば用紙）上に転写し定着させた後に、画像形成装置１００の外部に印刷物として排出する。なお、画像形成部３００は、インクジェット方式により、前記原稿画像データに基づく画像を形成してもよい。
【００１５】
画像形成装置１００は、図１に示される通り、操作表示部１１をさらに備える。操作表示部１１は、本発明における表示装置の一例である。操作表示部１１は、筐体１０の前側で上寄りに設けられる。具体的に、操作表示部１１は、コンタクト部１及びイメージセンサー３（図２を参照）よりも前方に設けられる。操作表示部１１は、図４に示されるように、表示部２１、タッチパネル２２、取付部２３、カードリーダー２４及び操作入力部２５を含む。
【００１６】
表示部２１は、筐体１０において後述の取付部２３よりも上方に配置される。表示部２１は、画像形成装置１００のユーザーが視認可能な場所に画面２１Ａを有する。具体的に、画面２１Ａは表示部２１の上方向側に設けられる。前記上方向は本発明における特定方向の一例である。表示部２１は、制御部１２の制御下で電力供給を受け、制御部１２（図３を参照）からの受信データに基づく画像を画面２１Ａに表示する。
【００１７】
タッチパネル２２は、ガラス基板上に設けられた複数の透明電極を有する。タッチパネル２２は、画面２１Ａ上に、画面２１Ａの全域を覆うように設けられている（図５を参照）。タッチパネル２２は、制御部１２の制御下で電力供給を受け、前記ユーザーによる操作に応じた電気信号を操作信号として出力する。
【００１８】
取付部２３は、筐体１０において表示部２１に対して下方向側に設けられる（図４を参照）。前記下方向は、本発明における特定方向の逆方向の一例である。取付部２３は、予め定められている複数種類のカードリーダー２４を取り付け可能に構成されている。
【００１９】
前記複数種類のカードリーダー２４のそれぞれは予め定められている外形寸法を有する。前記外形寸法のそれぞれは前記複数種類のカードリーダー２４毎で互いに異なっている場合がある。前記複数種類のカードリーダー２４のそれぞれは、前記ユーザーの第１例としてのエンドユーザー（詳細は後述）によりＩＣカード２４Ａがかざされる検知エリア２４Ｂを有する（図５を参照）。前記複数種類のカードリーダー２４のそれぞれは、自身の検知エリア２４ＢにかざされたＩＣカード２４Ａを検知する。
【００２０】
取付部２３には、前記複数種類のカードリーダー２４のうちの１つが取り付けられる（図５を参照）。具体的に、画像形成装置１００は、工場出荷時点では、取付部２３にはいずれのカードリーダー２４も取り付けられていない状態で、画像形成装置１００のユーザーの第２例としての販売側に納入される。前記販売側としては、画像形成装置１００の製造会社と契約を結んだディーラー、又は前記製造会社及びその販売会社が例示される。また、前記販売側には、前記複数種類のカードリーダー２４のそれぞれについて取付部２３への取り付け方及び取り付け位置等を記載したマニュアルが配布される。カードリーダー２４は、前記エンドユーザー側の要望に応じてオプション装備として前記販売側により取り付けられる。より詳細には、前記販売側は、前記エンドユーザー側に前記複数種類のカードリーダー２４を提示する。前記販売側では、前記エンドユーザー側により選択されたカードリーダー２４が前記マニュアルに従って取付部２３に取り付けられる。なお、前記販売側で取り付けられたカードリーダー２４は、本発明における実装カードリーダーに相当する。さらに具体的に、カードリーダー２４は表示部２１の直下において表示部２１と近接するように、取付部２３に取り付けられる（図４を参照）。また、カードリーダー２４は、自身の検知エリア２４Ｂと表示部２１の画面２１Ａとが前記上方向において重なり合うように取付部２３に取り付けられる。カードリーダー２４が取り付けられた後、画像形成装置１００は前記エンドユーザーに納品される。なお、以下、検知エリア２４Ｂと画面２１Ａとが前記上方向において重なり合う画面２１Ａの領域をオーバーラップ領域ＬＡ１という（図５を参照）。
【００２１】
ここで、前記複数種類のカードリーダー２４が取付部２３に取り付けられたと仮定する。この仮定下では、検知エリア２４Ｂのそれぞれは筐体１０（図４を参照）内において必ずしも同じ位置に配置されるとは限らず、表示部２１の下方において異なる位置に配置される場合がある。したがって、オーバーラップ領域ＬＡ１の画面２１Ａにおける位置は、取付部２３に取り付けられるカードリーダー２４により変わる場合がある。
【００２２】
ＩＣカード２４Ａ（図５を参照）は、前記エンドユーザーを識別するためのユーザー識別データが記憶される記憶部（図示せず）を備える。前記記憶部には、前記ユーザー識別データ以外にも、ＩＣカード２４Ａを所持する前記エンドユーザーに画像形成装置１００を使用する権限が与えられていることを示す権限データが記憶されていてもよい。
【００２３】
前記複数種類のカードリーダー２４は、非接触方式のカードリーダーである。前記複数種類のカードリーダー２４のそれぞれは、取付部２３に取り付けられて画像形成装置１００が前記エンドユーザー側に設置された後、自身の検知エリア２４ＢにかざされたＩＣカード２４Ａを検知する。その後、前記複数種類のカードリーダー２４のそれぞれは、ＩＣカード２４Ａから前記ユーザー識別データを取得して、制御部１２（図３を参照）に送信する。制御部１２は、ＩＣカード２４Ａの認証処理を行う。具体的に、制御部１２は、前記ユーザー識別データに基づき前記エンドユーザーに自装置の利用許可が与えられているか否かを判定する（図４のステップＳ７を参照）。なお、前記自装置は、画像形成装置１００又は前記表示装置である。
【００２４】
操作入力部２５は、筐体１０においてタッチパネル２２の右側に配置される（図４を参照）。操作入力部２５はスタートキー等の複数の物理ボタンを含む。前記スタートキーは、画像形成装置１００に前記原稿の読み取りを開始させる際に前記エンドユーザーにより操作される。前記スタートキーは、前記エンドユーザーにより操作されると、前記原稿の読み取り開始を示す電気信号を読取開始信号として制御部１２に出力する。また、前記複数の物理ボタンのうち、少なくとも１つの前記物理ボタンはスリープ復帰ボタン２５Ａとして使用される。スリープ復帰ボタン２５Ａは、画像形成装置１００の利用開始前に前記エンドユーザーにより操作される。スリープ復帰ボタン２５Ａは、前記エンドユーザーにより操作されると、前記スリープモードからの復帰を示す電気信号を復帰信号として制御部１２に出力する。
【００２５】
図６において、制御部１２は、ＣＰＵ、不揮発性メモリー及びＲＡＭ等を含む。なお、制御部１２は、ＡＳＩＣ（Application Specific Integrated Circuit）又はＤＳＰ(Digital Signal Processor)などの電子回路であってもよい。前記不揮発性メモリーには、メインプログラムと、設定プログラムとが記憶される。前記ＣＰＵは、前記メインプログラムをＲＡＭを作業領域として使いながら実行し、画像形成装置１００を統括的に制御する。また、前記設定プログラムは、前記販売側でカードリーダー２４が取付部２３に取り付けられる際に、前記販売側の者が操作表示部１１を操作することにより呼び出される。制御部１２は、前記設定プログラムを実行することにより、データベースＤＢ１におけるフラグデータＦＤ１を更新する。
【００２６】
具体的に、制御部１２において、前記不揮発性メモリーには、データベースＤＢ１が前記工場出荷時点で既に記憶されている。前記不揮発性メモリーは本発明における記憶部に相当する。データベースＤＢ１には、装置識別データＤＤ１と、領域データＲＤ１と、フラグデータＦＤ１との組が、前記複数種類のカードリーダー２４の分だけ記録されている。換言すると、データベースＤＢ１には、装置識別データＤＤ１と、領域データＲＤ１と、フラグデータＦＤ１とが互いに対応付けられて記録されている。
【００２７】
装置識別データＤＤ１は、前記複数種類のカードリーダー２４のそれぞれを識別可能なデータである。具体的に、装置識別データＤＤ１は、カードリーダー２４に予め付されている名称及び製造元を表す。他にも、装置識別データＤＤ１は、カードリーダー２４のそれぞれに予め付されている識別番号等であってもよい。
【００２８】
領域データＲＤ１は、自身に対応する装置識別データＤＤ１に対応するオーバーラップ領域ＬＡ１（図５を参照）を示す。より具体的に、領域データＲＤ１は、対応するオーバーラップ領域ＬＡ１の内部及び外縁を、同組の装置識別データＤＤ１で識別されるカードリーダー２４の検知エリア２４Ｂとして示す画像（図８を参照）を表す画像データである。さらに具体的に、領域データＲＤ１は、オーバーラップ領域ＬＡ１の内部及び外縁を特定する画面２１Ａにおける画素の座標値等と、前記画素の色の値と、を含む。領域データＲＤ１に基づきオーバーラップ領域ＬＡ１に前記画像が画面２１Ａに表示されると（図８を参照）、前記エンドユーザーは、表示部２１の直下に設けられ且つ視認不能な検知エリア２４Ｂの場所を認識することができる。
【００２９】
フラグデータＦＤ１は、同組の装置識別データＤＤ１により識別されるカードリーダー２４が取付部２３に取り付けられているか否かを示すデータである。具体的に、前記工場出荷時点では取付部２３にいずれのカードリーダー２４も取り付けられていないため、全てのフラグデータＦＤ１は、前記工場出荷時点ではオフに設定される。フラグデータＦＤ１は、取付部２３に取り付けられている前記販売側でカードリーダー２４が取付部２３に取り付けられる際に、制御部１２は、前記販売側の者の操作に従って前記設定プログラムを実行することにより、取り付けられたカードリーダー２４の装置識別データＤＤ１と同組のフラグデータＦＤ１をオンに設定する。この場合、オンのフラグデータＦＤ１は、同組の装置識別データＤＤ１により識別されるカードリーダー２４が取付部２３に取り付けられていることを特定する。なお、オンに設定されたフラグデータＦＤ１は、本発明における第１識別情報の一例である。
【００３０】
また、制御部１２は、前記メインプログラムを実行することにより、取得処理部１２Ａ、表示制御部１２Ｂ、認証処理部１２Ｃ、機能停止部１２Ｄ、給電制御部１２Ｅ及び操作受付部１２Ｆとして機能する。
【００３１】
取得処理部１２Ａは、前記不揮発性メモリーに格納されている複数の領域データＲＤ１のうち、取付部２３に取り付けられている１つのカードリーダー２４（即ち、前記実装カードリーダー）に対応する領域データＲＤ１を取得する。なお、取得処理部１２Ａにより取得される領域データＲＤ１は、本発明における特定の領域データに相当する。
【００３２】
表示制御部１２Ｂは、取得処理部１２Ａにより取得された領域データＲＤ１が示すオーバーラップ領域ＬＡ１に、取付部２３に取り付けられている１つのカードリーダー２４の検知エリア２４Ｂを示す画像を画面２１Ａに表示させる。
【００３３】
また、前記エンドユーザー側に納入された時点で、前記不揮発性メモリーに記憶されている領域データＲＤ１の１つには、対応するカードリーダー２４（即ち前記実装カードリーダー）が取付部２３に取り付けられていることを特定するフラグデータＦＤ１（即ち、オンに設定されたフラグデータＦＤ１）が対応付けられている。この場合、取得処理部１２Ａは、前記不揮発性メモリーのデータベースＤＢ１から、オンに設定されたフラグデータＦＤ１に対応付けられている領域データＲＤ１を取得する。
【００３４】
画面２１Ａにオーバーラップ領域ＬＡ１を表す画像が表示されると（図８を参照）、前記エンドユーザーはＩＣカード２４Ａをかざす検知エリア２４Ｂの場所を認識することができる。前記エンドユーザーは、認証等のためにＩＣカード２４Ａをオーバーラップ領域ＬＡ１を表す前記画像にかざす。カードリーダー２４は、ＩＣカード２４Ａから前記ユーザー識別データを読み出して制御部１２に送信する。その後、制御部１２は、認証処理部１２Ｃとして機能し、受信した前記ユーザー識別データに基づいてＩＣカード２４Ａの認証を行う。
【００３５】
機能停止部１２Ｄは、前記画像の表示から、前記画像にかざされたＩＣカード２４Ａの検知が完了するまでの間、タッチパネル２２の機能を停止する。具体的に、機能停止部１２Ｄは、前記画像の表示から前記検知が完了するまでの間、タッチパネル２２への電力供給を停止することにより、タッチパネル２２の機能を停止することができる。また、前記画像の表示から前記検知が完了するまでの間にタッチパネル２２への電力供給が行われている場合には、機能停止部１２Ｄは、この間にタッチパネル２２から送られてくる前記操作信号を無視することにより、タッチパネル２２の機能を停止することもできる。
【００３６】
給電制御部１２Ｅは、ＩＣカード２４Ａの検知が完了した場合に、タッチパネル２２への電力供給を開始して、タッチパネル２２を機能させる。
【００３７】
また、操作受付部１２Ｆは、ＩＣカード２４Ａの検知が完了した場合に、タッチパネル２２から送られてくる前記操作信号の受け付けを開始して、タッチパネル２２を機能させる。具体的に、タッチパネル２２は、ＩＣカード２４Ａが検知される以前に自身に電力が供給されている場合、前記エンドユーザーによるタッチ操作に応じて前記操作信号を制御部１２に送信可能となる。操作受付部１２Ｆは、ＩＣカード２４Ａの検知が完了した場合に、前記操作信号に基づき前記エンドユーザーがタッチパネル２２上で操作した位置を特定することを開始する。制御部１２は、操作受付部１２Ｆで特定された位置に基づき、画像形成装置１００を制御する。
【００３８】
次に、図７をさらに参照して、本発明に係る表示装置及び画像形成装置１００における制御部１２の処理についてさらに具体的に説明する。
【００３９】
上記の通り、前記販売側では、複数種類のカードリーダー２４の１つが前記取付カードリーダーとして取付部２３に取り付けられる。また、前記販売側の者は、前記設定プログラムを呼び出すために操作表示部１１の操作を行う。これにより、制御部１２は、前記設定プログラムを実行し、データベースＤＢ１に含まれる装置識別データＤＤ１及びフラグデータＦＤ１の組の全てを画面２１Ａに表示させる。前記販売側の者は、取り付けられたカードリーダー２４に対応するフラグデータＦＤ１をオンと設定するためにタッチパネル２２等を操作する。制御部１２は、タッチパネル２２等からの前記操作信号に基づき、データベースＤＢ１において対応するフラグデータＦＤ１をオンに更新する。その後、画像形成装置１００は、前記販売側から前記エンドユーザーに納入される。
【００４０】
画像形成装置１００は前記エンドユーザー側に設置される。画像形成装置１００の主電源（図示せず）が投入された後、制御部１２は、画像形成装置１００がスリープモードに入っているか否かを判定する（図７のステップＳ１）。前記スリープ状態において、制御部１２は、画像形成部３００、表示部２１、カードリーダー２４、及びタッチパネル２２への電力供給を制限する。特に、制御部１２は、機能停止部１２Ｄとして機能し、タッチパネル２２の機能を停止する。なお、画像形成装置１００が備える機器において、前記スリープ状態の間に電力供給が制限される機器は適宜定められる。例えばタッチパネル２２又はカードリーダー２４には前記スリープ状態の間であっても電力供給が行われてもよい。
【００４１】
制御部１２は、前記スリープモードに入っていると判定しない場合（ステップＳ１でＮＯ）、処理をステップＳ４に進める。制御部１２は、前記スリープモードに入っていると判定する場合（ステップＳ１でＹＥＳ）、処理をステップＳ２に進める。
【００４２】
ステップＳ２において、制御部１２は、スリープ復帰ボタン２５Ａが操作されることを待機し、スリープ復帰ボタン２５Ａが操作されたか否かを判定する（ステップＳ２）。具体的に、制御部１２は、スリープ復帰ボタン２５Ａから前記復帰信号が送られてきたか否かを判定する。
【００４３】
制御部１２は、前記復帰信号が送られてきたと判定しない場合（ステップＳ２でＮＯ）、処理をステップＳ１に戻す。一方、制御部１２は、前記復帰信号が送られてきたと判定する場合（ステップＳ２でＹＥＳ）、処理をステップＳ３に進める。
【００４４】
ステップＳ３において、制御部１２は、給電制御部１２Ｅとして機能する。制御部１２は、表示部２１及びカードリーダー２４への電力供給を開始する。これにより、制御部１２は、表示部２１及びカードリーダー２４を機能させる。換言すると、表示部２１は、画像を表示することが可能となる。また、カードリーダー２４は、ＩＣカード２４Ａが検知エリア２４Ｂにかざされた場合に、ＩＣカード２４Ａを検知し、ＩＣカード２４Ａから前記ユーザー識別データを読み出すことが可能となる。制御部１２は、ステップＳ３の実行後、処理をステップＳ４に進める。
【００４５】
なお、本実施形態では、タッチパネル２２への電力供給はステップＳ３では開始されず、ステップＳ８で開始される。なお、ステップＳ３でタッチパネル２２への電力供給が開始されてもよい。タッチパネル２２への電力供給がステップＳ３で開始される場合、その後に前記エンドユーザーがタッチパネル２２を押すと、タッチパネル２２は前記操作信号を制御部１２に送信する。しかし、制御部１２（即ち機能停止部１２Ｄ）は、ステップＳ５で前記エンドユーザーが自装置を利用してもよいと判断されるまで（即ち、認証処理部１２ＣによるＩＣカード２４Ａの認証が完了するまで）、タッチパネル２２から受け取る前記操作信号を無視する。なお、制御部１２が前記操作信号を無視するのは、ＩＣカード２４Ａが検知されるまででもよい。
【００４６】
ステップＳ４において、制御部１２は、取得処理部１２Ａとして機能し、前記不揮発性メモリーのデータベースＤＢ１にアクセスして、オンに設定されているフラグデータＦＤ１と同組の領域データＲＤ１（即ち特定の領域データ）を取得する。
【００４７】
次に、制御部１２は、表示制御部１２Ｂとして機能し、ステップＳ４で取得された領域データＲＤ１を表示部２１に出力する（ステップＳ５）。表示部２１は、領域データＲＤ１に基づき、画面２１Ａにおけるオーバーラップ領域ＬＡ１に、取付部２３に取り付けられたカードリーダー２４（即ち、実装カードリーダー）の検知エリア２４Ｂを示す画像を、本発明における第１画像として表示する（図８を参照）。これによって、前記エンドユーザーは、取付部２３に取り付けられたカードリーダー２４の検知エリア２４Ｂを認識可能となる。詳細には、筐体１０内の取付部２３に前記複数種類のカードリーダー２４が取り付け可能な場合であっても、画像形成装置１００は、領域データＲＤ１に基づく画像を画面２１Ａに表示することにより、前記エンドユーザーは画面２１ＡにおいてＩＣカード２４Ａをかざすべき場所を認識しやすくなる。
【００４８】
オーバーラップ領域ＬＡ１への画像表示の後、前記エンドユーザーは、ＩＣカード２４Ａを、画面２１Ａに表示された前記画像にかざす。カードリーダー２４は、前記画像に当接したＩＣカード２４Ａを検知しＩＣカード２４Ａと通信を行う。これにより、カードリーダー２４は、ＩＣカード２４Ａ内の前記記憶部から前記ユーザー識別データを読み出して制御部１２に送信する。
【００４９】
ステップＳ５の次に、制御部１２は、カードリーダー２４から前記ユーザー識別データが送られてきたか否かを判定する（ステップＳ６）。制御部１２は、前記ユーザー識別データが送られてきたと判定しない場合（ステップＳ６でＮＯ）、処理をステップＳ６に戻す。一方、制御部１２は、前記ユーザー識別データが送られてきたと判定する場合（ステップＳ６でＹＥＳ）、処理をステップＳ７に進める。
【００５０】
ステップＳ７において、制御部１２は、認証処理部１２Ｃとして機能し、前記ユーザー識別データに基づいて認証処理を行う。具体的に、認証処理部１２Ｃは、画面２１ＡにかざされたＩＣカード２４Ａの認証を行って、ＩＣカード２４Ａをかざした前記エンドユーザーに前記自装置の利用を許可するか否かを判定する。具体的には、制御部１２において、前記不揮発性メモリーには、前記認証処理用のデータベース（図示せず）が画像形成装置１００の利用開始前に予め記憶される。前記認証処理用のデータベースには、前記自装置の利用が許可されている前記エンドユーザーの前記ユーザー識別データが記録されている。制御部１２は、ステップＳ３で送られてきた前記ユーザー識別データが前記認証処理用のデータベースに記録されている場合に、前記エンドユーザーが前記自装置を利用してもよいと判定する。また、ＩＣカード２４Ａの前記記憶部に前記権限データが記憶されている場合には、制御部１２は、前記権限データをＩＣカード２４Ａから受け取った場合に、前記エンドユーザーが自装置を利用してもよいと判定する。
【００５１】
制御部１２は、前記エンドユーザーが前記自装置を利用してもよいと判定しない場合（ステップＳ７でＮＯ）、前記エンドユーザーが前記自装置を利用できないことを示す画像を画面２１Ａに表示させた後、図４の処理を終了する。なお、制御部１２は、前記エンドユーザーが前記自装置を利用してもよいと判定しない場合（ステップＳ７でＮＯ）、処理をステップＳ６に戻してもよい。
【００５２】
一方、制御部１２は、前記エンドユーザーに前記自装置の利用を許可すると判定する場合（ステップＳ７でＹＥＳ）、即ちＩＣカード２４Ａの認証が完了した後、処理をステップＳ８に進める。なお、ステップＳ３でタッチパネル２２への電力供給が開始されていない場合がある。即ち、機能停止部１２Ｄは、画面２１Ａに検知エリア２４Ｂを示す前記画像を表示してから、ＩＣカード２４Ａの認証が完了するまでの間、タッチパネル２２の機能を停止させている場合がある。この場合、制御部１２は、ステップＳ８において、給電制御部１２Ｅとして機能し、タッチパネル２２への電力供給を開始してタッチパネル２２を機能させる。本実施形態では、タッチパネル２２が検知エリア２４Ｂに対し上方向側に設けられるため、前記エンドユーザーがＩＣカード２４Ａを検知エリア２４Ｂにかざす際にタッチパネル２２に触れてしまう可能性がある。しかし、制御部１２がステップＳ８でタッチパネル２２への電力供給を開始するため、前記エンドユーザーがＩＣカード２４Ａを検知エリア２４Ｂにかざす際にタッチパネル２２に触れても前記操作信号は出力されない。これにより、これにより、ステップＳ８より前に、操作受付部１２Ｆがタッチパネル２２が操作された位置を誤検出することを防止することができる。また、タッチパネル２２への電力供給の開始を極力遅らせることで、画像形成装置１００の消費電力を抑制することができる。なお、制御部１２がタッチパネル２２への電力供給を開始するのは、ＩＣカード２４Ａが検知されるまででもよい。
【００５３】
また、機能停止部１２Ｄは、ステップＳ３でタッチパネル２２への電力供給が開始されている場合、画面２１Ａに検知エリア２４Ｂを示す前記画像を表示してから、ＩＣカード２４Ａの認証が完了するまでの間、タッチパネル２２から受け取る前記操作信号を無視することになる。この場合、ステップＳ８において、機能停止部１２Ｄは、前記操作信号を無視することを終了し、制御部１２はさらに、操作受付部１２Ｆとして機能し始めてもよい。操作受付部１２Ｆは、タッチパネル２２から送られてくる前記操作信号の受け付けを開始する。具体的に、操作受付部１２Ｆは、前記操作信号に基づき、前記エンドユーザーがタッチパネル２２を操作した位置を特定し始める。このように、操作受付部１２Ｆが、ステップＳ８で前記操作信号を受け付け始めることにより、ステップＳ８よりも前にタッチパネル２２が操作された位置を誤検出することを防止することができる。
【００５４】
ステップＳ８の後、前記エンドユーザーは、コンタクト部１に前記原稿を載置した後、前記スタートボタンを操作する。制御部１２は、前記スタートボタンからの前記読取開始信号を受け取ると、画像読取部２００及び画像形成部３００の制御を開始する（ステップＳ９）。これにより、画像読取部２００は前記原稿画像データを生成する。画像形成部３００は、前記原稿画像データに基づくトナー像を像担持体４に形成した後、前記印刷物を画像形成装置１００の外部に排出する。前記原稿画像データは、本発明における第２画像の一例である。
【００５５】
なお、前記実施形態では、フラグデータＦＤ１は、前記販売側においてカードリーダー２４が取付部２３に取り付けられる際にオンに設定されていた。しかし、図９に示されるように、前記複数種類のカードリーダー２４に対応するオーバーラップ領域ＬＡ１のそれぞれが画面２１Ａにおいて互いに重なり合う場合も考えられる。この場合、前記実装カードリーダーに対応するフラグデータＦＤ１が前記販売側においてオンに設定されるのではなく、画像形成装置１００は、前記複数種類のカードリーダー２４に対応するフラグデータＦＤ１がオンに設定された状態で前記工場から出荷されてもよい。この場合、前記販売側においてフラグデータＦＤ１の設定は必要なくなる。なお、オンに設定された複数のフラグデータＦＤ１は、本発明における第２識別情報に相当し、複数のオーバーラップ領域ＬＡ１が画面２１Ａにおいて互いに重なり合っていることを特定することになる。また、制御部１２は、図７のステップＳ４，Ｓ５において、オンに設定されている全てのフラグデータＦＤ１に対応する領域データＲＤ１を前記不揮発性メモリーから取得し、ステップＳ５において、全ての領域データＲＤ１が示すオーバーラップ領域ＬＡ１に、前記複数種類のカードリーダー２４の検知エリア２４Ｂを示す画像を表示部２１に表示させる（図９を参照）。なお、図９において、破線は、個々のオーバーラップ領域ＬＡ１を示す仮想線である。
【００５６】
また、前記実施形態では、本発明における表示装置としての操作表示部１１が画像形成装置１００に適用される場合について説明した。しかし、操作表示部１１は、画像形成装置１００以外の電装装置に適用されてもよい。
【符号の説明】
【００５７】
１００  画像形成装置
２００  画像読取部
３００  画像形成部
１１  操作表示部（表示装置）
１２  制御部
１２Ａ  取得処理部
１２Ｂ  表示制御部
１２Ｃ  判定部
１２Ｄ  機能停止部
１２Ｅ  給電制御部
１２Ｆ  操作受付部
２１  表示部
２１Ａ  画面
２２  タッチパネル
２３  取付部
２４  カードリーダー
２４Ａ  ＩＣカード
２４Ｂ  検知エリア
【図１】
2019136890.tif 000003
【図２】
2019136890.tif 000004
【図３】
2019136890.tif 000005
【図４】
2019136890.tif 000006
【図５】
2019136890.tif 000007
【図６】
2019136890.tif 000008
【図７】
2019136890.tif 000009
【図８】
2019136890.tif 000010
【図９】
2019136890.tif 000011